(57)【要約】      （修正有）【課題】急速施工が可能であり、強度的に優れ、かつ間詰めコンクリートの量を低減でき、現場作業が容易なプレキャスト合成床版の橋軸直角方向の継手構造を提供する。【解決手段】１径間の長さの主桁と、底鋼板３と、底鋼板３上の複数のＩ形鋼４と、床版コンクリート５を構成要素とするプレキャスト合成パネルユニット１の橋軸直角方向の継手構造である。床版コンクリート５の継手面を凹凸形状とし、その凸部６からＩ形鋼４を突出させる。隣り合うパネルユニット１どうしの一方のパネルユニット１の継手位置では凸部６およびＩ形鋼４の端部が底鋼板３の端部より内側に位置し、他方のパネルユニット１の継手位置では凸部６およびＩ形鋼４の端部が底鋼板３の端部より外側に張り出している。これらを突き合わせて、双方のパネルユニット１の床版コンクリートの凸部６およびＩ形鋼４の端部が交互に位置するようにし、継手部に間詰めコンクリート９を打設する。【選択図】図１
2019199710.tif 000002
【特許請求の範囲】
【請求項１】
１径間に相当する長さを有する橋軸方向の主桁と、前記主桁の上面に固定された底鋼板と、前記底鋼板の上面に橋軸方向に間隔をおいて配置された複数の形鋼と、前記底鋼板の上面に打設された床版コンクリートとを構成要素とするプレキャスト合成パネルユニットが橋軸直角方向に複数並列配置されて連結されてなる合成パネル橋梁の橋軸直角方向の継手構造であって、
前記床版コンクリートの橋軸直角方向の継手面は平面視で凹凸形状に形成されており、前記形鋼が前記継手面の凹凸形状の凸部から突出しており、
橋軸直角方向に隣り合うパネルユニットどうしのうちの一方のプレキャスト合成パネルユニットの継手位置では、前記凸部および前記形鋼の端部が前記底鋼板の端部より内側に位置しており、他方のプレキャスト合成パネルユニットの継手位置では、前記凸部および前記形鋼の端部が前記底鋼板の端部より外側に張り出しており、
前記一方のプレキャスト合成パネルユニットの底鋼板上に、前記他方のプレキャスト合成パネルユニットの前記凸部および前記形鋼の端部の張出し部が、双方のプレキャスト合成パネルユニットの床版コンクリートの凸部および形鋼の端部が橋軸方向に交互に位置するように配置され、双方の形鋼の端部を橋軸方向にみてオーバーラップするように配置した状態で、継手部に間詰めコンクリートが打設されている
ことを特徴とする合成パネル橋梁の橋軸直角方向の継手構造。
【請求項２】
請求項１記載の合成パネル橋梁の橋軸直角方向の継手構造において、橋軸直角方向に複数並列配置されて連結されてなる前記プレキャスト合成パネルユニットのうち、一部のプレキャスト合成パネルユニットは前記橋軸方向の主桁を有さず、底鋼板と、前記底鋼板の上面に橋軸方向に間隔をおいて配置された複数の形鋼と、前記底鋼板の上面に打設された床版コンクリートとを構成要素とするプレキャスト合成パネルユニットであることを特徴とする合成パネル橋梁の橋軸直角方向の継手構造。
【請求項３】
請求項１または２記載の合成パネル橋梁の橋軸直角方向の継手構造において、前記凸部の橋軸直角方向の断面が上方向に広がる逆台形状であることを特徴とする合成パネル橋梁の橋軸直角方向の継手構造。
【請求項４】
請求項１または２記載の合成パネル橋梁の橋軸直角方向の継手構造において、前記凸部の橋軸直角方向の断面の両側が凹凸形状であることを特徴とする合成パネル橋梁の橋軸直角方向の継手構造。
【請求項５】
請求項１〜４のいずれか一項に記載の合成パネル橋梁の橋軸直角方向の継手構造において、前記形鋼はＩ形鋼であることを特徴とする合成パネル橋梁の橋軸直角方向の継手構造。
【請求項６】
請求項１〜５のいずれか一項に記載の合成パネル橋梁の橋軸直角方向の継手構造を備えた合成パネル橋梁の橋軸直角方向の継手部の施工方法であって、
橋台と橋脚または橋脚間に前記一方のプレキャスト合成パネルユニットを架設した後、前記他方のプレキャスト合成パネルユニットを、前記凸部および前記形鋼の端部の張出し部が前記一方のプレキャスト合成パネルユニットの底鋼板上に載置され、双方のプレキャスト合成パネルユニットの凸部および形鋼の端部が橋軸方向に交互に位置するように橋台または橋脚間に架設し、双方の形鋼の端部が橋軸方向にみてオーバーラップするようにして、継手部に間詰めコンクリートを打設することを特徴とする合成パネル橋梁の橋軸直角方向の継手部の施工方法。
【発明の詳細な説明】
【技術分野】
【０００１】
本発明は、道路橋などに用いられるプレキャスト合成床版の橋軸直角方向の継手構造及びその施工方法に関するものである。
【背景技術】
【０００２】
橋梁の施工においては、交通規制や施工コストの問題などから急速施工が可能な工法が期待されている。特に、既設橋梁の老朽化に対し床版の架け替えを行う場合には、既設橋梁の周辺も含め、交通規制が必要となることから急速施工の必要性が高い。
【０００３】
例えば、特許文献１には、所要の剛性を有し、かつ製作コストを低減した鋼・コンクリートの合成パネル構造と、その合成パネルを用いて現地工期短縮および施工の単純化を図った合成パネル橋梁の施工方法が記載されている。
【０００４】
この特許文献１記載の合成パネルは、底鋼板の下面に間隔をおいて配置した主桁の役割を担う複数の縦桁が固定され、底鋼板の上面には縦桁と直交方向にＩ形鋼などの形鋼からなりジベルの機能を持たせた横リブが間隔をおいて固定配置され、横リブが埋没するように現場打ちの床版コンクリートが充填された構造のものである。
特許文献２には、橋梁の改修工事におけるプレキャスト床版の継手部に多用されてきたいわゆるループ継手が記載されている。
【０００５】
特許文献３には、プレキャスト部材同士を高い耐力で接合可能な耐久性に優れた接合構造として、接合される双方のプレキャスト部材の接合側端部から有孔板（孔明き鋼板ジベル）を突設させ、隙間に充填材を充填するとともにそれらの有孔板の孔に挿通させたＰＣ鋼材によって充填材の充填部にプレストレスを導入するようにした接合構造が記載されている。
【０００６】
特許文献４には、既設橋の改修などにおいて急速施工を可能とするプレキャスト床版の継手構造に関し、継手端部に複数の切欠部を設けて凹凸形状とし、プレキャスト床版の凸部から突出させた継手用鉄筋を他方のプレキャスト床版の凹部内に納める形で間詰め材を充填するようにしたことで、間詰め材の充填量を低減して工期を短縮するとともに、継手部に構造的な弱点が生じないようにした継手構造が記載されている。
【０００７】
特許文献５には、プレキャストコンクリート床版の接続構造として、プレキャストコンクリート床版本体から橋軸方向に突出する上側継手鉄筋および下側継手鉄筋の先端部にネジ切りしてナットを取り付けるか、または圧着グリップを固着し、継手鉄筋を突出させた対向する床版本体の端面間に間詰めコンクリートを充填する構造において、床版本体の端面厚さ方向の中央部に溝形のせん断キー部を形成した構造が記載されている。
【先行技術文献】
【特許文献】
【０００８】
【特許文献１】特開２００４−１３７６８６号公報
【特許文献２】特開２００８−３０３５３８号公報
【特許文献３】特開２００９−２０９６００号公報
【特許文献４】特開２０１２−２２５１４４号公報
【特許文献５】特開２０１５−００１０４５号公報
【発明の概要】
【発明が解決しようとする課題】
【０００９】
特許文献１記載の発明は、鋼・コンクリートの合成床版構造の橋梁の現地工期短縮および施工の単純化を図ったものであるが、合成床版を構成するコンクリートは現場打ちであるため、工期を最小限に短縮する急速施工には適さない。
【００１０】
特許文献２記載の発明は、ループ継手を形成する鉄筋の加工の問題などから床版厚を薄くすることが難しく、またループ継手と継手部に配置された鉄筋および充填コンクリートのみでは十分な継手強度が得られにくい。
【００１１】
特許文献３記載の発明は、継手部に孔明き鋼板ジベルを用いたものであるが、継手端部に孔明き鋼板ジベルを埋め込んでプレキャスト床版を製作しなければならず、製造コストが高く付き、また孔明き鋼板ジベルと鉄筋および充填コンクリートのみでは継手部が強度的な弱点となりやすい。
【００１２】
特許文献４記載の発明は、プレキャスト床版の継手端部を平面的にみて凹凸形状となるようにし、プレキャスト床版の凸部から突出させた継手用鉄筋を他方のプレキャスト床版の凹部内に納める形で間詰め材を充填するようにしたことで、間詰め材の充填量を低減して工期を短縮するとともに、継手部に構造的な弱点が生じないようにしたものであるが、継手部に作用するせん断力に対し、必ずしも十分な構造とは言えない。
【００１３】
特許文献５記載の発明は、継手部において橋軸方向に突出させた鉄筋の先端部にナットまたは圧着グリップを取り付けて重ね継手の機能を高めるとともに、床版本体の端面に形成した溝形のせん断キー部により、継手部の一体化を図ったものであるが、この場合も必ずしも継手部の強度が十分とは言えない。
【００１４】
また、特許文献２〜５記載の発明は、橋軸方向の継手を対象としており、主桁あるいは橋脚、橋台などに支持されているが、橋軸直角方向の継手の場合、継手部が主桁位置とは限らず、むしろ主桁位置から外れる場合も多く、その場合、継手部自体に大きなせん断耐力が要求される。
【００１５】
本願発明は、上述のような従来技術における課題の解決を図ったものであり、現場での急速施工が可能であり、かつプレキャスト合成床版を補剛している補剛桁を利用することで強度的に優れた継手部を構成し、かつ間詰めコンクリートの量を低減でき、現場作業が容易なプレキャスト合成床版の橋軸直角方向の継手構造およびその施工方法を提供することを目的としたものである。
【課題を解決するための手段】
【００１６】
本発明は、１径間に相当する長さを有する橋軸方向の主桁と、前記主桁の上面に固定された底鋼板と、前記底鋼板の上面に橋軸方向に間隔をおいて配置された複数の形鋼と、前記底鋼板の上面に打設された床版コンクリートとを構成要素とするプレキャスト合成パネルユニット（以下、単に「パネルユニット」と呼ぶ）が橋軸直角方向に複数並列配置されて連結されてなる合成パネル橋梁の橋軸直角方向の継手構造を工夫したものである。
【００１７】
本発明では、前記床版コンクリートの橋軸直角方向の継手面は平面視で凹凸形状に形成されており、前記形鋼が前記継手面の凹凸形状の凸部から突出しており、橋軸直角方向に隣り合うパネルユニットどうしのうちの一方のパネルユニットの継手位置では、前記凸部および前記形鋼の端部が前記底鋼板の端部より内側に位置しており、他方のパネルユニットの継手位置では、前記凸部および前記形鋼の端部が前記底鋼板の端部より外側に張り出している。
【００１８】
そして、前記一方のパネルユニットの底鋼板上に、前記他方のパネルユニットの前記凸部および前記形鋼の端部の張出し部が、双方のパネルユニットの床版コンクリートの凸部および形鋼の端部が橋軸方向に交互に位置するように配置され、双方の形鋼の端部を橋軸方向にみてオーバーラップするように配置した状態で、継手部に間詰めコンクリートが打設されていることを特徴とする。
【００１９】
本発明の合成パネル橋梁の橋軸直角方向の継手部の施工方法においては、橋台と橋脚または橋脚間に前記一方のパネルユニットを架設した後、前記他方のパネルユニットを、凸部および形鋼の端部の張出し部が前記一方のパネルユニットの底鋼板上に載置され、双方のパネルユニットの凸部および形鋼の端部が橋軸方向に交互に位置するように橋台または橋脚間に架設し、双方の形鋼の端部が橋軸方向にみてオーバーラップするようにして、継手部に間詰めコンクリートを打設する。
【００２０】
本発明では、パネルユニットを構成する床版コンクリートの継手面を凹凸形状に形成し、パネルユニットに内蔵された補剛桁の機能を有する形鋼の突出部がこの継手面の凸部から突出する形態となっているため、隣り合う双方のパネルユニットの継手面の凹凸形状をフィンガージョイントのように噛み合わせる形で形鋼の端部が他方のパネルユニットの継手面の凹部に納まるため、この部分に充填される間詰めコンクリートの打設量を少なくしつつ強固な接合構造が得られる。
【００２１】
また、本発明ではパネルユニットに１径間に相当する長さを有する橋軸方向の主桁が一体化されているため、鋼とコンクリートからなる合成床版構造のパネルユニットを橋台または橋脚間に架設する際に、パネルユニット自体に十分な剛性が確保されているため、施工がスムーズであり、継手部の間詰め部分についても剛性的に安定した状態で間詰めコンクリートの打設を行うことができる。
【００２２】
なお、上述の橋軸直角方向に複数並列配置されるパネルユニットは、全てのパネルユニットが一体化された主桁を有する場合に限らず、一部のパネルユニットについては主桁を有さないパネルユニット、すなわち底鋼板と底鋼板の上面に橋軸方向に間隔をおいて配置された複数の形鋼とを構成要素とするパネルユニットを用いることもできる。
【００２３】
床版コンクリートの継手面の凸部の形状については、さらにこの凸部の橋軸直角方向の断面が上方向に広がる逆台形状となるようにすれば、継手部に後から打設される間詰めコンクリートの上方への抜け出しを拘束する効果が得られる。
【００２４】
その他、床版コンクリートの継手面の凸部の形状については、橋軸直角方向の断面の両側が凹凸形状となるようにしても、同様に間詰めコンクリートの上方への抜け出しの拘束効果や一体性の向上の効果が得られる。
【００２５】
パネルユニットの床版コンクリート内に埋設されて補剛桁の機能を有する形鋼の断面形状は特に限定されないが、断面剛性や価格、取り扱いの容易さなどからＩ形鋼などの形鋼が有利である。また、Ｉ形鋼などの場合、フランジ形状によるアンカー効果も得られる。
【００２６】
また、本発明ではパネルユニットの下面に鋼板が一体化されている構造であるため、製作や運搬に便利であり、また架設状態において床版下面の止水性が高いという利点がある。
【発明の効果】
【００２７】
本発明ではパネルユニットに１径間に相当する長さを有する橋軸方向の主桁が一体化されているため、鋼とコンクリートからなる合成床版構造のパネルユニットを橋台または橋脚間に架設する際に、パネルユニット自体に十分な剛性が確保されているため、施工がスムーズであり、継手部の間詰め部分についても剛性的に安定した状態で間詰めコンクリートの打設を行うことができる。
【００２８】
本発明では、橋軸直角方向に並列するパネルユニットに内蔵された補剛桁の機能を有する形鋼の端部が隣り合うパネルユニット間の継手部に突出し、双方のパネルユニットの形鋼の端部が橋軸方向にみてオーバーラップする形で継手部の間詰めコンクリート内に配置されるため、強固な継手構造が得られる。
【００２９】
また、本発明では、パネルユニットを構成する床版コンクリートの継手面を凹凸形状に形成し、補剛桁の機能を有する形鋼の端部がこの継手面の凸部から突出する形態となっており、隣り合う双方のパネルユニットの継手面の凹凸形状をフィンガージョイントのように噛み合わせる形で形鋼の端部が他方のパネルユニットの継手面の凹部に納まるため、この部分に充填される間詰めコンクリートの打設量を少なくしつつ強固な接合構造が得られる。
【図面の簡単な説明】
【００３０】
【図１】本発明の一実施形態について、パネルユニットの橋脚への架設の状態を示したもので、(a)は架設された状態の平面図、(b)は一方のパネルユニットが架設され、他方のパネルユニットが架設される直前の断面図、(c)は双方のパネルユニットが架設された状態の断面図である。
【図２】両側のパネルユニットが架設された状態で、間のパネルユニットを架設する様子を示した斜視図である。
【図３】本発明の継手構造の他の実施形態における橋軸方向の断面図である。
【図４】本発明の継手構造のさらに他の実施形態における橋軸方向の断面図である。
【図５】本発明の継手構造のさらに他の実施形態における橋軸方向の断面図である。
【図６】本発明が適用される合成パネル橋梁の架設における施工手順を示す斜視図である。
【図７】図６に続く施工手順を示す斜視図である。
【図８】図７に続く施工手順を示す斜視図である。
【図９】図８に続く施工手順を示す斜視図である。
【図１０】図９に続く施工手順を示す斜視図である。
【図１１】図１０に続く施工手順を示す斜視図である。
【図１２】図１１に続く施工手順を示す斜視図である。
【図１３】図１２に続く施工手順を示す斜視図である。
【図１４】図１３に続く施工手順を示す斜視図である。
【図１５】本発明の継手構造の他の実施形態（一部のパネルユニットは橋軸方向の主桁を有さない場合）における施工手順を示した斜視図である。
【図１６】図１５に続く施工手順を示した斜視図である。
【図１７】図１６に続く施工手順を示した斜視図である。
【図１８】図１６で用いられるパネルユニットを拡大して示した斜視図である。
【図１９】図１７に続く施工手順を示した斜視図である。
【図２０】図１９で用いられるパネルユニットを拡大して示した斜視図である。
【発明を実施するための形態】
【００３１】
以下、本発明の具体的な実施形態を添付図面に基づいて説明する。
図１は本発明の継手構造の一実施形態について、パネルユニット１（プレキャスト合成パネルユニット）の橋脚への架設の状態を示したもので、図２は両側のパネルユニット１ａ、１ｃが架設された状態で、間にパネルユニット１ｂを架設する様子を示した斜視図である。
【００３２】
パネルユニット１は、図２および後述する図６〜図１４に示すように、１径間（橋台１１と橋脚１２間、または隣り合う橋脚１２間の距離に相当）に相当する長さを有する橋軸方向の主桁２と、主桁２の上面に固定された底鋼板３と、底鋼板３の上面に橋軸方向に間隔をおいて配置された複数の形鋼（本実施例ではＩ形鋼４）と、底鋼板３の上面に打設された床版コンクリート５とを構成要素とする。
【００３３】
このパネルユニット１を橋台１１と橋脚１２または橋脚１２間に架設し、橋軸直角方向に複数並列配置して連結し、橋軸方向にも複数径間架設して行くことで鋼コンクリート合成構造の合成パネル橋梁が構築される。
【００３４】
なお、図示した実施例は、既設橋梁の老朽化に対し橋梁の床版の架け替え工事を行う場合を想定した例であり、橋脚１２の既設の支承１４上に橋軸直角方向の横桁１５を設置し、パネルユニット１を構成する主桁２を橋台１１上に設置した支承１３と橋脚１２の横桁１５間に架設する構造としている。主桁２の横桁１５への架設部分は、主桁２の上フランジ側の一部が突出部２ａとして残された形で切欠かれた形状となっており、この突出部２ａを横桁１５の上面に載置している。
【００３５】
パネルユニット１を構成する床版コンクリート５の橋軸直角方向の継手面は平面視で凹凸形状に形成されており、前述のＩ形鋼４が継手面の凹凸形状の凸部６から突出しており、図１に示すように橋軸直角方向に隣り合うパネルユニット１どうしのうちの一方のパネルユニット１の継手位置では、凸部６およびＩ形鋼４の端部が底鋼板３の端部より内側に位置しており、他方のパネルユニット１の継手位置では、凸部６およびＩ形鋼４の端部が底鋼板３の端部より外側に張り出している。
【００３６】
そして、一方のパネルユニット１の底鋼板３上に、他方のパネルユニット１の凸部６およびＩ形鋼４の端部の張出し部が載った状態で、双方のパネルユニット１の床版コンクリートの凸部６およびＩ形鋼４の端部が橋軸方向に交互に位置し、橋軸方向にみて双方のＩ形鋼４の端部オーバーラップした状態で、継手部に間詰めコンクリート９が打設されている。
【００３７】
なお、図示した実施例において、継手部で隣接する底鋼板３の端部どうしは、図１に示すように、あらかじめ一方のパネルユニット１の底鋼板３の端部に取り付けておいた添接板７とボルト８を介して接合されるようになっているが、これに限定されるものではない。
【００３８】
このように、橋軸直角方向に並列するパネルユニット１に内蔵された補剛桁の機能を有するＩ形鋼４の端部が隣り合うパネルユニット１間の継手部に突出し、双方のパネルユニット１のＩ形鋼４の端部がオーバーラップする形で間詰めコンクリート９内に配置されるため、強固な継手構造が得られる。
【００３９】
なお、必要に応じ、この継手部の間詰めコンクリート９内に橋軸方向の緊張材を配置して間詰めコンクリート９の橋軸方向のはらみ出しの抑制を図ることもできる。
【００４０】
また、隣り合う双方のパネルユニット１の継手面の凹凸形状をフィンガージョイントのように噛み合わせる形でＩ形鋼４の端部が他方のパネルユニット１の継手面の凹部に納まるため、この部分に充填される間詰めコンクリート９の打設量を少なくしつつ強固な接合構造が得られる。
【００４１】
図３は、本発明の継手構造の他の実施形態における継手部分の橋軸方向の断面を示したものである。図３の例ではパネルユニット１を構成する床版コンクリート５の継手面の凸部６の橋軸直角方向の断面形状が上方向に広がる逆台形状となるように凸部６の側面にテーパーを設けている。
【００４２】
このような逆台形状の断面形状とすることで、継手部に後から打設される間詰めコンクリート９の上方への抜け出しを拘束する効果が得られる。
【００４３】
図４は、本発明の継手構造のさらに他の実施形態における継手部分の橋軸方向の断面を示したものである。図４の例は凸部６の橋軸直角方向の断面形状において、両側が凹凸形状となるようにして、継手部に後から打設される間詰めコンクリート９の上方への抜け出しを拘束するとともに、床版コンクリート５と間詰めコンクリート９の一体性の強化を図ったものである。
【００４４】
図５は、図４の実施形態に対し、床版コンクリート５の凸部６の側面における上下方向の凹凸形状の凹凸を逆にした場合であり、効果は図４の場合とほぼ同様である。
【００４５】
図６〜図１４は、図２で説明した本発明が適用される合成パネル橋梁の架設における施工手順を参考的に示したものであり、以下の手順で施工が行われる。
【００４６】
(1) 横桁１５の設置（図６〜７参照）
既設の床版を取り除いた橋台１１上に主桁２の配置に応じた支承１３を設置する。橋脚１２側については、既設の支承１４を使用し、支承１４の上に、橋軸直角方向の横桁１５を設置する。
【００４７】
(2) パネルユニット１ａの架設（図８〜９参照）
パネルユニット１ａを構成する主桁２を橋台１１上に設置した支承１３と橋脚１２の横桁１５間に架設する。主桁２の横桁１５への架設部分は、図２で説明したように、主桁２の上フランジ側の一部が突出部２ａとして残された形で切欠かれた形状となっており、この突出部２ａを横桁１５の上面に架設する。
【００４８】
パネルユニット１ａは、図２に示すように、凸部６およびＩ形鋼４の端部が底鋼板３の端部より内側に位置している。
【００４９】
(3) パネルユニット１ｃの架設（図１０〜１１参照）
同様に、凸部６およびＩ形鋼４の端部が底鋼板３の端部より内側に位置しているパネルユニット１ｃを橋台１１上に設置した支承１３と橋脚１２の横桁１５間に架設する。
【００５０】
(4) パネルユニット１ｃの架設（図１２〜１４参照）
凸部６およびＩ形鋼４の端部が底鋼板３の端部より外側に張り出しているパネルユニット１ｃを橋台１１上に設置した支承１３と橋脚１２の横桁１５間に架設する。
【００５１】
パネルユニット１ｂの架設により、パネルユニット１ｂの両側の凸部６およびＩ形鋼４の端部が両側のパネルユニット１ａ、１ｃの底鋼板３上に載る。隣接する底鋼板３どうしは図１で説明したように、添接板７とボルト８を介して接合する。
【００５２】
(5) 間詰めコンクリート９の打設
両側からＩ形鋼４が突出する凹凸形状の継手部に図１に示される間詰めコンクリート９を打設する。
【００５３】
以上の作業により、橋台１１と橋脚１２間の１径間の床版パネルの架設が完了する。続く径間についても基本的には同様の手順で施工を行うことができる。
【００５４】
図１５〜図２０は、本発明の継手構造の他の実施形態として、一部のパネルユニットは橋軸方向の主桁を有さない場合における施工手順とパネルユニットの構造を示したものである。
【００５５】
一部のパネルユニットについて、橋軸方向の主桁を有さないパネルユニット１´を用いる点以外は、基本的に前述の実施形態と同様である。
【００５６】
(1) 横桁１５の設置（図１５、図１６参照）
既設の床版と橋桁を取り除いた橋台１１上に主桁２の配置に応じた支承１３を設置する。橋脚１２への橋軸直角方向の横桁１５の設置については、前述の実施形態と同様、既設の支承１４を使用し、支承１４の上に、橋軸直角方向の横桁１５を設置する。
【００５７】
(2) 主桁２を一体化したパネルユニット１の架設（図１７、図１８参照）
パネルユニット１を構成する主桁２を橋脚１２上に設置した横桁１５間に架設する。なお、パネルユニット１の片端が横桁１５を介さず、直接、橋台または橋脚上の支承上に架設される場合もある。
【００５８】
(3) 主桁２を有さないパネルユニット１´の架設（図１９、図２０参照）
本実施形態では、主桁２を有さないパネルユニット１´も用いており、先に架設したパネルユニット１´間に、主桁２を有さないパネルユニット１´に架設して行く。
【００５９】
その他の構成および施工手順は、基本的に前述の実施形態と同様であるので、共通する事項の説明は省略する。
【符号の説明】
【００６０】
１…パネルユニット、２…主桁、２ａ…突出部、３…底鋼板、４…Ｉ形鋼、５…床版コンクリート、６…凸部、７…添接板、８…ボルト、９…間詰めコンクリート、
１１…橋台、１２…橋脚、１３…支承、１４…支承、１５…横桁
【図１】
2019199710.tif 000003
【図２】
2019199710.tif 000004
【図３】
2019199710.tif 000005
【図４】
2019199710.tif 000006
【図５】
2019199710.tif 000007
【図６】
2019199710.tif 000008
【図７】
2019199710.tif 000009
【図８】
2019199710.tif 000010
【図９】
2019199710.tif 000011
【図１０】
2019199710.tif 000012
【図１１】
2019199710.tif 000013
【図１２】
2019199710.tif 000014
【図１３】
2019199710.tif 000015
【図１４】
2019199710.tif 000016
【図１５】
2019199710.tif 000017
【図１６】
2019199710.tif 000018
【図１７】
2019199710.tif 000019
【図１８】
2019199710.tif 000020
【図１９】
2019199710.tif 000021
【図２０】
2019199710.tif 000022